(57)【要約】      （修正有）【課題】形成に係わる作業を簡便に行うことができ、周囲の景観と調和させることが容易となされた防音パネルの取付構造及び防音壁を提供する。【解決手段】開閉可能となされたカバー部３を開放して取り付け作業を行う周辺を広くすることで防音パネル２０の取り付けに係わる作業を簡便なものとでき、またカバー部３を閉合することで防音パネルの側端部を隠して周囲の景観との調和を図ることができるが、これらがカバー部の開閉のみで行うことができ、カバー材等を別途取り付ける必要がないことから形成に係わる作業が簡便なものとなり得る。【選択図】図４
2006328858.tif 000002
【特許請求の範囲】
【請求項１】
支柱に断面コ字状の取付金具が取り付けられ、支柱間に前記コ字状の開口部が相対向して設けられ、該開口部に防音パネルの両側端が嵌挿された取付構造であって、前記取付金具は、前記防音パネルを取り付ける取付部と、前記防音パネルの一方の面に当接されるカバー部とを備え、前記カバー部は、前記取付部に開閉可能に取り付けられ、前記カバー部を開放することで前面側から前記防音パネルが前記取付部に取り付け可能となされ、前記カバー部を閉合することで取り付けられた前記防音パネルの側端部が取付金具により隠されるようになされたことを特徴とする防音パネルの取付構造。
【請求項２】
前記取付部にはボルトの頭部及び／又はナットを上下方向に摺動可能に挿入する取付溝が設けられ、該取付溝に挿入されたボルト及び／又はナットを用いて防音パネルが取り付けられていることを特徴とする請求項１に記載の防音パネルの取付構造。
【請求項３】
前記取付部及び前記カバー部のいずれか一方に回動軸が設けられ、他方には軸受け部が設けられ、該軸受け部内で前記回動軸が回動することで前記カバー部が開閉可能となされたものであって、前記カバー材が閉合された状態で前記軸受け部と前記回動軸との間に空間部が生じるようになされ、該空間部にスペーサーを嵌着することで前記カバー部の開放が抑止されるようになされていれることを特徴とする請求項１又は２に記載の防音パネルの取付構造。
【請求項４】
請求項１〜３のいずれかに記載の防音パネルの取付構造を備えていることを特徴とする防音壁。
【発明の詳細な説明】
【技術分野】
【０００１】
本発明は、支柱に防音パネルが取り付けられた防音パネルの取付構造、及び住宅地、工場、店舗、駐車場等の敷地境界や、市街地の車道と歩道等の道路境界など設置され、騒音の遮へいや減衰を図ることができる防音壁に関するものである。
【背景技術】
【０００２】
例えば、街路等の一般道路においては、歩行者や沿線住民に対して車両の騒音公害を防止するために、７００〜１５００ｍｍ程度の比較的高さの低い防音壁を、車道と歩道の境界や中央分離帯に沿って設置することがある。従来、この種の防音壁としては、例えば、支柱と前記支柱間に取り付けられた防護部材とからなる防護柵において、前記防護部材側の前記支柱間に防音パネルが取り付けられ、前記支柱は、前記防音パネルの端部によって隠されていることを特徴とする、防音機能を有するもの、等がある。
【０００３】
【特許文献１】特開平１０−３３８９１３号公報
【発明の開示】
【発明が解決しようとする課題】
【０００４】
しかしながら、特許文献１に記載される等の従来の防音壁では、防音パネルの端部が露出して無骨な外観となり、住宅地、工場、店舗、駐車場、市街地等の、生活者や歩行者等の目に触れやすい場所に設置した場合には周囲の景観と調和しなくなる恐れがあり、かかる防音パネルの端部を隠すのにカバー等を設けるのでは、取り付けに際して繁雑な手間を要するものとなっていた。
【０００５】
本発明は上記の如き課題に鑑みてなされたものであり、形成に係わる作業を簡便に行うことができ、周囲の景観と調和させることが容易となされた防音パネルの取付構造及び防音壁を提供せんとするものである。
【課題を解決するための手段】
【０００６】
上記目的を達成するため、本発明は以下のような構成としている。すなわち、本発明に係わる防音パネルの取付構造は、支柱に断面コ字状の取付金具が取り付けられ、支柱間に前記コ字状の開口部が相対向して設けられ、該開口部に防音パネルの両側端が嵌挿された取付構造であって、前記取付金具は、前記防音パネルを取り付ける取付部と、前記防音パネルの一方の面に当接されるカバー部とを備え、前記カバー部は、前記取付部に開閉可能に取り付けられ、前記カバー部を開放することで前面側から前記防音パネルが前記取付部に取り付け可能となされ、前記カバー部を閉合することで取り付けられた前記防音パネルの側端部が取付金具により隠されるようになされたことを特徴とするものである。
【０００７】
本発明に係わる防音パネルの取付構造によれば、開閉可能となされたカバー部を開放して取り付け作業を行う周囲を広くして取り付けにおける便宜を図ることで防音パネルの取り付けに係わる作業を簡便なものとでき、またカバー部を閉合することで防音パネルの側端部を隠して周囲の景観との調和を図ることができるが、これらがカバー部の開閉のみで行うことができ、カバー材等を別途取り付ける必要がないことから形成に係わる作業が簡便なものとなり得る。
【０００８】
また請求項１に記載の防音パネルの取付構造において、前記取付部にはボルトの頭部及び／又はナットを上下方向に摺動可能に挿入する取付溝が設けられ、該取付溝に挿入されたボルト及び／又はナットを用いて防音パネルが取り付けられていれば、上下方向の取付位置の位置調整が容易となって、防音パネルの取り付けが容易となり好ましい。
【０００９】
また請求項１又は２に記載の防音パネルの取付構造において、前記取付部及び前記カバー部のいずれか一方に回動軸が設けられ、他方には軸受け部が設けられ、該軸受け部内で前記回動軸が回動することで前記カバー部が開閉可能となされたものであって、前記カバー部が閉合された状態で前記軸受け部と前記回動軸との間に空間部が生じるようになされ、該空間部にスペーサーを嵌着することで前記カバー部の開放が抑止されるようになされていれば、カバー部を閉合する際に回動軸を中心として回動させるのみで閉合可能となり、取り付けに係わる作業を更に簡便なものとでき、またスペーサーを空間部に嵌着するのみで簡単にカバー部が開放されないようにでき好ましい。
【００１０】
また、本発明に係わる防音壁は、請求項１〜３のいずれかに記載の防音パネルの取付構造を備えていることを特徴とするものである。
【００１１】
本発明に係わる防音壁によれば、防音パネルの取り付けが簡便に行われることで、設置が容易且つ迅速なものとでき、また取付金具の取付部及びカバー部により防音パネルの端部が隠され、住宅地、駐車場、市街地等の、生活者や歩行者等の目に触れやすい場所に設置しても無骨な外観とならず、周囲の景観と調和させるのが容易なものとできる。
【発明の効果】
【００１２】
本発明に係わる防音パネルの取付構造によれば、開閉可能となされたカバー部を開放して取り付け作業を行う周囲を広くして取り付けにおける便宜を図ることで防音パネルの取り付けに係わる作業を簡便なものとでき、またカバー部を閉合することで防音パネルの側端部を隠して周囲の景観との調和を図ることができるが、これらがカバー部の開閉のみで行うことができ、カバー材等を別途取り付ける必要がないことから形成に係わる作業が簡便なものとなり得る。
【００１３】
本発明に係わる防音壁によれば、防音パネルの取り付けが簡便に行われることで、設置が容易且つ迅速なものとでき、また取付金具の取付部及びカバー部により防音パネルの端部が隠され、住宅地、駐車場、市街地等の、生活者や歩行者等の目に触れやすい場所に設置しても無骨な外観とならず、周囲の景観と調和させるのが容易なものとできる。
【発明を実施するための最良の形態】
【００１４】
本発明に係わる最良の実施の形態について、図面に基づき以下に具体的に説明する。
【００１５】
図１は、本発明に係わる防音壁の、実施の一形態を示す斜視図である。住宅地、駐車場、市街地等の境界に沿って複数立設された丸形パイプの支柱３０に、防音パネル２０が取付金具１０により二段に段積みされて取り付けられることで防音壁１００が形成されている。防音パネル２０は、下段に遮音機能のみを備えた遮音パネル２０Ａが取り付けられ、上段には遮音機能と吸音機能とを備えた吸音パネル２０Ｂと、透光機能を備えた透光パネル２０Ｃが取り付けられている。防音パネル２０及び支柱３０の上端には、蒲鉾型の笠木２０１が取り付けられている。防音パネル２０の両側端は取付金具１０により隠されて、また上端部分は笠木２０１より隠されることで防音パネル２０の側縁部が露出して無骨な外観となることがなく、周囲の景観と調和するようになされている。
【００１６】
図２は、防音壁１００の側断面を示すもので、（ａ）は図１に示したＡ−Ａ断面図、（ｂ）はＢ−Ｂ断面図である。まず（ａ）において、上段に取り付けられた吸音パネル２０Ｂは前面側にパンチング孔の穿設された前面板２０２が設けられ、背面側に遮音可能な金属板等の背面板２０３が設けられると共に、前面板２０２と背面板２０３との間に吸音材２０４が内包され、前面側から到来する騒音が吸音材２０４により吸音されるようにして形成されている。前面板２０２、背面板２０３及び吸音材２０４は枠体２０５に取り付けられることで吸音パネル２０Ｂが形成され、吸音パネル２０Ｂの周囲全周に亘って枠体２０５は形成されている。下段に設けられた遮音パネル２０Ａは、枠体２０５間にアルミ−樹脂複合板等の遮音可能な遮音板２０６が二重に取り付けられて形成されている。吸音パネル２０Ｂの下側の枠体２０５には予め隙間隠し板２０７が取り付けられ、取り付け後に上下段の防音パネル２０間の隙間からの音漏れを防止すると共に、遮音パネル２０Ａの上側の枠体２０５が隙間隠し板２０７間に嵌着されることで、防音パネル２０の位置決めが容易となり、また防音パネル２０のがたつきの発生を防止するようになされている。
【００１７】
次に（ｂ）において、上段に取り付けられた透光パネル２０Ｃは、透光板２０８の周囲に枠体２０５が取り付けられて形成されたもので、下側の枠体２０５には同様に予め隙間隠し板２０７が取り付けられている。透光板２０８は、透明なものでもよいが、住宅地等に設置する場合にはプライバシーやセキュリティの問題があることから、磨りガラス状や乳半白色等の半透明板を好適に用いることができる。また光を上下方向に屈折させることができるレンズ板を用いて日照に対する配慮を行うようにしてもよい。下段に設けられた遮音パネル２０Ａは、（ａ）に示したものと同じものである。
【００１８】
図３は、防音壁１００の上方からの断面を示すもので、本発明に係わる防音パネルの取付構造の、実施の一形態を示す図１のＣ−Ｃ断面図である。支柱３０に取り付けられた取付金具１０は断面コ字状となされ、支柱３０間に相対向するようにコ字状の開口部１が設けられ、各々の開口部１には防音パネル２０の両側端が嵌挿されている。取付金具１０の断面コ字状を形成しているのは取付部２とカバー部３であり、取付部２には防音パネル２０の背面が受けられる受け部２１と、ボルトＢ１によって支柱３０へ取り付けられる支持部２２とが一体となされて備えられており、受け部２１に取り付けられたボルトＢ２が、防音パネル２０の両側端に突設された板状の耳部２０９に挿通された状態でボルトＢ２にナットＮ２が螺着されることで、防音パネル２０が取付部２に固定されている。取付部２に取り付けられたカバー部３は、防音パネル２０の前面側に設けられて防音パネル２０の両側端を前面側から隠すようになされている。支持部２２は、支柱３０に挿通されたボルトＢ１が挿通された状態でナットＮ１が螺着されることで支柱３０に固定されており、支柱３０を挟んで反対側にも同様に支持部２２を設けることができる。
【００１９】
図４は、取付金具１０による防音パネル２０の取り付けを示す上方からの断面図である。まず（ａ）において、取付部２１の前面側の上下方向に設けられた蟻溝状の取付溝２１１にボルトＢ２の頭部が摺動可能に挿入され、防音パネル２０の耳部２０９にはボルトＢ２が挿通可能なボルト孔２１０が穿設されている。固定用のナットＮ２がボルトＢ２に螺着される際には、耳部２０９とナットＮ２との間にはワッシャーＷとスプリングワッシャーＳＷが介在されるようになされている。
【００２０】
ここでカバー部３には回動軸３１が備えられ、取付部２には軸受け部２３が設けられ、軸受け部２３に回動軸３１が挿入されて、軸受け部２３内で回動軸３１が回動することでカバー部３が開閉可能となされている。防音パネル２０の取付部２への取り付け時には、カバー部３を開放状態として取付部２を前面側に大きく開放して取り付け作業の便宜が図られ、閉合時には取付部２とカバー部３とによって防音パネル２０の両端部を隠すことができる。本実施形態においては、防音パネル２０を支柱３０の上端まで持ち上げる必要がなく。前面側から防音パネル２０を移動させるのみで開口部１内に防音パネル２０の両側端を嵌挿可能になされている。
【００２１】
次に（ｂ）において、ボルトＢ２がボルト孔２１０に挿通するようになされると共に、ナットＮ２がボルトＢ２に緊結されることで防音パネル２０が取付部２に固定される。カバー部３が開放された状態となされていることで、ナットＮ２の緊結は円滑に行うことができる。最後に回動軸３１を中心にカバー部３を矢印Ｙの方向に回動させて、取付部２に対してカバー部３を閉合する。
【００２２】
本実施形態の如く、取付部２及びカバー部３により隠される取付部２の前面側に、取付溝２１１を設けてボルトＢ２を挿入し、そのボルトＢ２を用いて防音パネル２０の取り付けを行うことで、ボルトＢ２及びナットＮ２についても取付部２及びカバー部３により隠すことができ、防音パネル２０の取り付けに係わるボルト・ナット等の取付手段が外観上見られないようになされ、周囲の景観とより一層調和するような外観となされている。
【００２３】
カバー部３の上下方向の長さは、防音パネル２０一体毎の長さとしておいてもよいが、図５に示す如く支柱３０の長さ分として複数段の防音パネル２０の側端部を隠すことができるようにしてもよい。カバー部３の長さを支柱３０と略同じとしておくことで、防音壁１００の外観をすっきりとしたものにすることができる。尚、耳部２０９に穿設されたボルト孔２１０は、図示したように左右方向に長孔としておけば、上下方向に設けられた受け部２の取付溝２１１内でボルトＢ２が摺動可能となされていることと相俟って防音パネル２０の取付位置の調整を容易とすることができ好ましい。
【００２４】
図６は、カバー部３の閉合後の取付金具１０付近の詳細を示す上方からの断面図である。回動溝２３と回動軸３１との間には、カバー部３が閉合された状態では空間部Ｓが生じるようになされており、空間部Ｓによって回動軸３１が回動可能となってカバー部３が開閉可能となされているが、カバー部３の閉合後に空間部Ｓにピンであるスペーサー４が挿入されることで、防音パネル２０の取り付け後にカバー部３の開放が抑止されている。また取付部２の背面側と、カバー部３の前面側は人目に触れやすい部分であることから、エンボス加工が施されることで意匠性が高められている。
【００２５】
取付金具１０を形成する取付部２やカバー部３については、カバー部３が開閉可能な構造を設けることができれば形成する材料は特に限定されるものではないが、防音パネル２０を保持する高い強度を確保するのと、種々の複雑な断面形状を形成するのが容易で、且つ同一の断面形状を得るのが容易である金属製の押出形材を用いるのが好ましく、金属の中でも軽量で形成が比較的容易であるアルミニウム製の押出形材を好適に用いることができる。
【００２６】
防音パネル２０は、取付部２に対して取り付け可能で、且つ吸音性、遮音性のいずれか少なくとも１つを備えた板状のパネルであれば特に限定されるものではなく、上述の吸音パネル２０Ｂの如く吸音性と遮音性を兼ね備えたものや、透光パネル２０Ｃの如く遮音性に加え透光性を備えたものの他に、表面に広告を設けたもの、スリットを斜め方向に設けて風を通過可能としつつ音の直進を遮るようにしたもの、太陽電池を備えたもの、表面塗装等によりＮＯｘ分解機能やＳＰＭ吸着機能を備えたもの、光触媒含有層や低汚染性塗膜層により表面に自浄性が備えられたもの等、適宜のものを用いることができる。
【図面の簡単な説明】
【００２７】
【図１】本発明に係わる防音壁の取付構造の、実施の一形態を示す正面図である。
【図２】図１に示した防音壁の、側方からの断面図である。
【図３】図１に示した防音壁の、上方からの断面図である。
【図４】図１に示した防音壁の取付構造の、取り付けの状態を示す上断面図である。
【図５】図１に示した防音壁の取付構造の、取り付けの状態の一例を示す説明図である。
【図６】図３の、取付金具付近の詳細を示す上断面図である。
【符号の説明】
【００２８】
１    開口部
２    取付部
２１１  取付溝
２３  軸受け部
３    カバー部
３１  回動軸
４    スペーサー
１０  取付金具
２０  防音パネル
３０  支柱
１００  防音壁
Ｓ    空間部
【図１】
2006328858.tif 000003
【図２】
2006328858.tif 000004
【図３】
2006328858.tif 000005
【図４】
2006328858.tif 000006
【図５】
2006328858.tif 000007
【図６】
2006328858.tif 000008